(57)【特許請求の範囲】
【請求項１】
金属コアと、前記金属コアを少なくとも部分的に被覆し、さらに、接地接続可能な金属被覆によって少なくとも部分的に被覆される誘電体層とを有するリード線であって、
前記リード線は、前記金属被覆されていない領域を保護するための少なくとも１つの蒸気バリア被覆をさらに有し、且つ、前記リード線は、モールドコンパウンドへの接着を促進するための付加的な被覆を有し、
前記リード線は、薄い金属層によって隔てられた厚さの異なる複数の誘電体層を有し、最外層は接地接続されていることを特徴とするリード線。
【請求項２】
前記金属被覆は、前記誘電体層を部分的にのみ被覆することを特徴とする請求項１に記載のリード線。
【請求項３】
前記リード線は、付加的な金属層および付加的な誘電体層の少なくとも一方を有することを特徴とする請求項１または２に記載のリード線。
【請求項４】
蒸気バリアおよび酸素分解耐性の少なくとも一方を提供する誘電体が別の誘電体材料の厚い層の上に薄く被着されることを特徴とする請求項１から３のいずれか一項に記載のリード線。
【請求項５】
複数の接続パッドを有するダイと、
複数の接続素子を支持するダイ基板と、
前記ダイと前記ダイ基板との間に接続された請求項１から４のいずれか一項に記載の１以上のリード線と、
を備えたダイパッケージ。
【請求項６】
前記リード線は、規定のコア径を持つ第１の金属コアと、前記第１の金属コアを被覆する第１の誘電体厚を持つ誘電体層と、前記誘電体層を少なくとも部分的に被覆する外側金属層とを備え、前記リード線は、蒸気バリアオーバーコートを有することを特徴とする請求項５に記載のダイパッケージ。
【請求項７】
前記ダイは、オーバーモールドが施され、さらに硬化およびシンギュレーションの少なくとも一方が施されて使用されることを特徴とする請求項５または６に記載のダイパッケージ。
【請求項８】
ワイヤボンディングを使用して、リード線の金属コアをダイおよび基板の両方の接続パッドへの相互接続を行うステップと、
前記金属コアを誘電体で被覆するステップと、
金属層で被覆するステップと、
少なくとも１つの蒸気バリアの被覆を施すステップと、
モールドコンパウンドへの接着を促進するための付加的な被覆を施すステップと、
を有する請求項５から７のいずれか一項に記載のダイパッケージの製造方法。
【請求項９】
前記ダイにオーバーモールドを施し、硬化およびシンギュレーションの少なくとも一方を施すステップをさらに有する請求項８に記載の方法。
【請求項１０】
前記誘電体の少なくとも一部を除去して前記ダイの前記接続パッドを露出し、続いて、前記リード線の前記金属層を前記ダイの前記接続パッドに接続するための金属被覆を施すステップをさらに有する請求項８または９に記載の方法。
【請求項１１】
前記金属層の少なくとも部分的な除去と、それに続く付加的な誘電体層および少なくとも１つの蒸気バリアの被覆の少なくとも一方を施すステップをさらに有する請求項８から１０のいずれか一項に記載の方法。
【発明の詳細な説明】
【技術分野】
【０００１】
誘電体被覆された金属コアを金属被覆して、接地接続が可能なリード線を形成する改善方法について説明する。
【背景技術】
【０００２】
電子機器およびコンポーネントは、日々、動作速度や動作する周波数範囲が増大している。一般的な半導体パッケージタイプは、基板またはリードフレームの接続にワイヤボンドを使用しているが、ワイヤボンドは、電子機器のプリント回路基板（ＰＣＢ）への接続用として、二次レベル配線、ビア、基板またはパッケージトレース、半田ボール等に接続できる。
【０００３】
ダイパッケージの製造はコストが嵩みがちであり、材料被着エラーによる不具合がダイの機能性を無効にすることがある。ダイパッケージの製造コストの削減と信頼性を改善する方法が必要とされている。
【発明の概要】
【発明が解決しようとする課題】
【０００４】
従来技術の課題と欠点に鑑み、本発明の目的は、製造コストの削減と信頼性の改善を行って製造可能な少なくとも１つのリード線を含むリード線およびダイパッケージを提供することである。
【課題を解決するための手段】
【０００５】
当業者には周知の上記および他の目的は、金属コアと、前記金属コアを少なくとも部分的に被覆し、さらに、接地接続可能な金属被覆によって少なくとも部分的に被覆される誘電体層とを有するリード線を対象とする本発明において達成され、本発明は、そのリード線が金属被覆されていない領域を保護するための少なくとも１つの蒸気バリア被覆をさらに有し、且つ、リード線は、モールドコンパウンドへの接着を促進するための付加的な被覆を有し、リード線は、薄い金属層によって隔てられた厚さの異なる複数の誘電体層を有し、最外層は接地接続されていることを特徴とする。
【０００６】
さらに、本発明は、複数の接続パッドを有するダイと、複数の接続素子を支持するダイ基板と、ダイとダイ基板との間に接続された本発明に係る１以上のリード線とを備えたダイパッケージを対象とする。
【０００７】
さらに、本発明は、ダイパッケージの製造方法を対象とする。
【０００８】
従属請求項は、本発明のより効果的な実施形態を対象とする。
【０００９】
蒸気バリアの施用を含む本発明に係るリード線は、選択的な金属被覆または除去により金属で被覆されていない領域を保護することができる。これにより、ダイの機能性を無効にする材料被着エラーによるダイパッケージの不具合を防止することができる。
【図面の簡単な説明】
【００１０】
【図１】様々な要求に合せて最適化された蒸気バリアにより誘電体および金属被覆されたリード線を形成するために選ばれた方法を示す図である。
【図２】外側の接地接続された金属被覆を有する誘電体被覆リード線の製造の方法ステップを示す図である。
【図３】外側の接地接続された金属被覆を有する誘電体被覆リード線の製造のサブトラクティブ法を示す図である。
【図４】外側の接地接続された金属被覆を有する誘電体被覆リード線を用いるＢＧＡパッケージを示す図である。
【図５】外側の接地接続された金属被覆を有する誘電体被覆リード線を用いるリードフレームパッケージの一部を示す図である。
【発明を実施するための形態】
【００１１】
図１に示された方法において、リード線の金属コアによるダイおよび基板の両方の接続パッド間の相互接続を提供するためにワイヤボンディング（１０）が使用される。金属コアは誘電体が被覆（１１）されている。誘電体層はエッチングで取り去られて（１２）接地パッドを露出し、続いて、金属層を接地パッドに接続するために金属被覆（１３）が行われる。必要に応じて付加的な金属層も除去され（１４）、続いて、酸素分解への耐性を改善するために付加的な誘電体または蒸気バリアの被着（１５）が行われる。必要であれば、モールドコンパウンドへの接着を促進するために付加的な被覆を施してもよく、その後、ダイは、オーバーモールドを施され（１６）、硬化、シンギュレーションを施されて使用に供される。
【００１２】
いくつかの実施形態において、電気的特性は、半導体ダイパッケージングに使用される誘電体被覆リード線を異なる誘電体厚を有するように形成することにより調整可能である。誘電体被覆の回数と製造ステップを変えることによって、厚型、薄型および中間厚型が製造可能である。コア径と誘電体厚の両方を変えることができる。いくつかの実施形態において、例えば金属コアを被覆する独立した誘電体材料は、接地接続可能な金属層によって覆われることにより、被覆誘電体の組成も変えられる。これは、例えば、優れた蒸気バリア、酸素分解耐性等を有する高性能誘電体が低コストの誘電体材料の厚い層の上に薄く被着することを可能にする。さらに別の実施形態において、異なる厚さの誘電体の多数の層は薄い金属層によって分離され、最外の金属層は接地接続されてもよい。
【００１３】
一般に、薄い誘電体層は電力線用に適合する低インピーダンスを提供し、厚い誘電体層は信号の伝送品質のために好適で、外側の金属層は同じ接地に接続される。コア径と誘電体厚の組み合わせが可能であり、２以上のインピーダンスを達成するために、一連のそのようなステップが実行されてもよいことに留意されたい。いくつかの実施形態において、電力処理能力を増加させ、電力線温度を下げ、および／または、接地電位の変動または電力低下を悪化させることになる電源および接地線へのインダクタンスをさらに減少させるために、電力線に大径のコアを備えることが望ましい。３以上の異なる誘電体厚を有するリード線を備えることが多くのパッケージに効果的であるため、中間厚さの誘電体層も有用である。例えば、電力伝導を最大化するために、中間の誘電体厚を有するリード線を使用して、実質的に異なるインピーダンスの負荷を電源に接続する。例えば、１０オームの電源が２０オームのリード線で４０オームの負荷に接続されてもよい。さらに、誘電体のコストが高くなることがあるため、リセット等の重大な状態が少ない状態で、電力リード線より厚みが大きいが（中間）より小さい厚みの誘電体層でリード線を被覆できる状態で、厚い誘電体を用いて重要な信号経路と重要な信号リード線とを相互接続してもよい。これは、誘電体被覆の材料コストと時間を削減するために有効である。
【００１４】
各リード線用に所望の特定インピーダンス値を達成するために、ワイヤボンド径と組み合わせた誘電体被覆の厚さを厳密に選択することができる。
【００１５】
【数１】
0006730182.tif 000002
【００１６】
同軸線の特性のインピーダンスが式（１）に表されており、式（１）において、Ｌはユニット長ごとのインダクタンスであり、Ｃはユニット長ごとの静電容量であり、ａはボンドワイヤの直径であり、ｂは誘電体の外径であり、εγは同軸誘電体の比誘電率である。
【００１７】
図２に示されるように、一実施形態において、外側の接地接続された金属被覆を有する誘電体被覆リード線の製造は、以下のステップを用いて進行できる。接続パッドが、ダイおよび基板上で洗浄され（５０）、ワイヤボンダを用いてダイが接続パッドに接続される（５１）。任意で、第２の直径のワイヤ（例えば、電力接続に適した、より大径のワイヤ）が取り付けられてもよいし（５２）、選択的な被覆を可能にするためにダイの領域がマスキングされる（５３）か、または、保護されてもよい。同一または異なる組成の誘電体の１以上の層が被覆されてもよく（５４）、次の誘電体被覆ステップで被覆された接地接続へのアクセスを可能にするために、選択的に誘電体部分に対してレーザーまたはサーマルアブレーションまたは化学的除去が行われる（５５）。いくつかの実施形態では接地ビアの必要性を排除できるため、このステップは任意である。仮想ＲＦ接地は容量カップリングによって達成できるため、高周波数で稼動するダイに適する。次に、金属被覆（５７）が行われ、リード線の最外金属層を形成する金属で誘電体を被覆し、同時にリード線の接地接続を行う。このプロセス全体を多数回繰り返してもよく（５８）、それは、選択可能な被覆技法を用いる実施形態に有効であり、また、多数のダイまたは複雑かつ異なるインピーダンスのリード線を用いる実施形態では特に有効である。最終ステップにおいて、非キャビティパッケージに関しては、リード線を封止するためにオーバーモールドを使用することができる（５９）。別の実施形態および付加的もしくは変形例の方法ステップは、米国特許出願公開第２０１２００６６８９４号明細書および米国特許第６，７７０，８２２号明細書に記載されており、それらの開示を参照して用いてもよい。
【００１８】
特定の実施形態において、説明されたプロセスへの変更および追加が可能である。例えば、誘電体の共形被覆は、化学的（電気泳動）、機械的（表面張力）、触媒（プライマー）、電磁［ＵＶ、ＩＲ］、電子線、その他適切な技法によって達成することができる。電気泳動ポリマーは、それらがプロセスパラメータを調整することにより、および／または、電気泳動塗布液に単純に添加剤、濃度、化学的、熱的もしくはタイミングの変更を施すことにより、自己抑制反応で容易に厳密な厚さに被覆できるため、特に効果的である。
【００１９】
別の実施形態において、誘電体を予備被覆したボンドワイヤを用いてリード線を形成してもよい。市販の被覆ワイヤは、例えば５０オームのリード線を製造するために必要な誘電体厚よりも典型的に薄いため、所望のインピーダンスを設定するために誘電体厚を増加させて、上記に説明した誘電体被覆ステップを用いることができる。これらの予備被覆ワイヤの使用は、同軸リード線を形成するために必要な他のプロセスステップを単純化し、必要な被覆誘電体のより薄い層と、接地ビアを形成するためのより迅速な処理時間を可能にする。予備被覆ボンドワイヤは、空間が狭いまたは交差するリード線の短絡を防止するために使用することができる。特定の実施形態において、予備被覆ボンドワイヤは、選択的パターニング技法を可能にするために感光性材料で製造された誘電体を有してもよい。
【００２０】
別の実施形態において、誘電性パリレンが使用することができる。パリレンとは、水分バリアおよび誘電体バリアとして使用される、多様な化学蒸着ポリ（ｐ−キシリレン）ポリマーの商標名である。パリレンは、修正パリレン被覆システムを用いた成長抑制縮合反応で形成することができるものであり、該システムにおいて、ダイ、基板およびリード線は感光板に整列し、それがＥＭ放射（ＩＲ、ＵＶまたはその他）を厳密に衝突させ、選択的な誘電体の成長速度を提供する。これが、コンタクトビア形成、パリレンのバルク除去等のプロセスの必要性を効果的に低減または排除できる。
【００２１】
パリレンおよびその他の誘電体は、酸素、水蒸気および熱が存在する場合、酸素切断による分解を受けることが知られている。損傷は、真に密封性の界面を形成できる３−５ミクロン厚さの薄膜層で優れた蒸気酸素バリアを形成する金属層によって制限することができる。代替的に、電気的、熱的または機械的要求により、金属が選択的に除去されている場合、または金属が特定領域に被覆していない場合、広範なポリマー系蒸気酸素バリアの使用が可能であり、中でもポリビニルアルコール（ＰＶＡ）は広範に使用される１つのポリマーである。これらのポリマーは、グロブトッピング処理、スクリーン印刷処理、ステンシル処理、ガントリー分配処理、酸素またはＨ２Ｏ蒸気環境に曝されるパリレン表面に噴霧処理されてもよい。有利には、蒸気バリアポリマーの使用は、使用しなければ高コストのパリレンまたは他の酸素感応物の極めて厚い層が必要とされるため、コスト削減戦略の一環となりうる。
【００２２】
理解されるように、説明した全ての方法ステップは、種々の選択可能な被覆技法の利点を享受する。選択可能な被覆は、物理的マスキング、指向性ポリマー蒸着、フォトレジスト法、または、被覆時に、金属コア、誘電体層またはその他の最外層において、異なる被着厚さを保証する任意の他の適切な方法を用いてもよい。選択可能な被覆では、リード線の構築がアディティブ法で可能であるが、サブトラクティブ法も可能であり、サブトラクティブ法では、異なるインピーダンスの配線を形成するため誘電体または金属が除去される。例えば、１以上のダイが配置されたパッケージが、全パッケージとデバイスパッドの相互接続用に適宜ワイヤボンド接合されてもよい。ダイパッケージの製造に関するステップと構造を示す図３に関連して示されるように、誘電体被覆２００はワイヤボンド金属導体２０２の上に厚さＸ−Ａに被覆することができる（ステップＡ）が、Ａは二次配線インピーダンスに必要とされる誘電体の厚さである。二次インピーダンスワイヤボンド誘電体は例えばエッチングステップによって除去される（ステップＢ）ことができ、続いて第２の被覆２０４被覆（ステップＣ）、それに続いて両配線の金属被覆２０６が行われる（ステップＤ）。このサブトラクティブプロセスにより、２つの独立したインピーダンスのワイヤボンドが作製される。
【００２３】
図４に示した実施形態において、誘電体と、明確に定義された調整可能なリード線の電気的特性を有する金属被覆リード線を含むボールグリッドアレイ（ＢＧＡ）パッケージについて説明する。
【００２４】
ＢＧＡは、集積回路に広く使用されている表面実装パッケージングであり、ＢＧＡの底面全体が接続パッドに使用することができるため、一般に、デュアルインライン、リードフレームまたはその他のフラットパッケージよりも多数の相互接続ピンを提供できる。多くの種類のＢＧＡパッケージにおいて、ダイ２１６は接続パッドに接続された充填可能なビア２２０を有する基板２１８に取り付けられている。ワイヤボンド２１２、２１４は頂部側ダイ２１６をパッド／ビア２２０に接続するために使用することができ、結果として基板の頂部側から底部への電気接続を提供する。ＢＧＡパッケージでは、半田ボール２２２がパッケージの底部に取り付けられ、プリント回路基板またはその他の基板への半田付けまでは粘着質の束で定位置に保持される。本明細書で説明されるように、従来型ＢＧＡパッケージのワイヤボンドは、誘電体層と外側接地接続可能な金属層を有する改良されたリード線で置き換えることができる。リード線は、内側コアおよび外側金属層の上に異なる誘電体厚を有することができ、また、誘電体層厚に部分的に基づいて別々の、または良く適合するように選択することができる特定のインピーダンスを有するように選択的に最適化することができる。図６に示されるように、長いリード線２１２と短いリード線２１４の両方がサポートされる。
【００２５】
より詳細には、改良されたＢＧＡパッケージの組み立てにおいて、基板のビアに隣接しビアの周りに形成された接続パッドを支持する基板に対して、ダイの表面を上にした取り付けを要求する場合がある。この組立品は、各々必要な配線向けに適宜ワイヤボンド接合され、ワイヤボンドは基板上の接続パッドとダイ上の接続パッドの間に形成される。低周波数および電力入力は低周波数信号リード線に接続されるが、高周波数入力と出力は高周波数信号リード線に接続される。いくつかの実施形態において、低周波数および電力入力のリード線は、高周波数信号リード線とは異なる厚さを持ちうる。そして、組立品は、基本的に共形の誘電体材料で被覆される。低コスト、真空蒸着の容易さ、および優れた性能特性のために、好ましくはパリレンを使用することができる。リードフレーム取付位置付近の誘電体層の一部分は、接地接続点または接地シールド層への電気的な接続を行うためにエッチング、熱的劣化、レーザーアブレーションによって選択的に除去される。同様に、接地接続を可能にするために、誘電体層の一部分が、ダイ接続パッド付近で除去される。誘電体層上への金属被覆の施工に続いて、構造上の接地接続がなされ、接地シールドを形成する。好ましい金属層の厚さは、皮層深さとＤＣ耐性の点を考慮して選択されるべきであり、銀、銅、または金等の優れた導電体から主に構成されるべきである。殆どのアプリケーションに対して、機能性の点では１ミクロンの被覆厚さで十分であるが、より厚い被覆は、リード線間のクロストークの低減に役立つ。これらの被覆は、リソグラフィーまたはその他のマスキング法と、めっきまたは他の選択可能な被覆法の組み合わせにより、規定領域に施すことができる。パッケージは、ダイ上にオーバーモールドまたは蓋を配置し、続いてダイシング（シンギュレーション）および検査を経て完成することができる。
【００２６】
別法として、図５に示した実施形態において、ダイからリードフレームへ延出するワイヤボンドを含むダイパッケージ３００をベースとした低コストなリードフレームは、個々のパッケージサイトの二次元アレイと外側フレーム部分を含むリードフレームストリップを形成することによって製造することができる。リードフレームの加工は従来型であり、別個のリード線のエッチング、打ち抜き加工または電着により形成することができる。リードフレームストリップは、射出成形またはトランスファー成形装置を含むが、これらに限定されないモールドに配置することができる。市販のエポキシモールドコンパウンド等の好ましくはプラスチック製の適切な誘電体材料が、リードフレーム／モールド材料複合体構造を達成するためにモールドに射出、圧送または移送される。モールド材料の特性は、それらの比誘電率、誘電正接および電気的分散特性ならびにそれらの温度、湿度および他の機械的な性能属性が重要である。
【００２７】
結果として得られる複合リードフレームストリップ上の各パッケージサイトはモールド離型剤および／またはバリを除去されて、リードフレームの露出した金属部分の上の金属仕上げの被覆用に準備される。これは、浸漬または電気めっき等のめっき技法によって達成することができるものであり、金属は腐食抑制とワイヤボンド接合を容易にするために選択される。そのような仕上げの一例は、ニッケルの薄膜層（保護用）に続いた、金の層（付加的な保護とワイヤボンドの能力）である。次に、結果として得られる成形されたリードフレームストリップの各パッケージサイトには必要なダイが配置されて底部に取り付けられ、ダイ取り付け材料は、特定のパッケージング用途に対応する機械的および熱的特性によって選択される。次に、結果として得られる組立品は各々必要な配線向けに適宜ワイヤボンド接合され、ワイヤボンドはリードフレーム上のリード線とダイ上の接続パッドの間に形成される。低周波数および電力入力は低周波数信号リード線に接続され、他方で、高周波数入力および出力は高周波数信号リード線に接続される。いくつかの実施形態において、低周波数および電力入力は、高周波数信号リード線とは異なる厚さであってもよい。
【００２８】
前述のＢＧＡパッケージ２１０と同様に、配置後のリードフレームストリップは、パリレンを含む基本的に共形の誘電体材料で被覆される。パリレンの場合、最終的にＰＣＢに取り付けられるリード線部分への被覆を防止するために、アクリル系接着剤が付いた真空対応ポリイミド、または、同様の材料等のテープでパッケージの底部をマスキングすることが好ましい。これは、後続ステップにおいて、より容易な半田付けを可能にする。リードフレームの取り付け位置付近の誘電体の一部分は、接地接点または接地シールド層への電気的な接続を行うために、エッチング、熱的劣化またはレーザーアブレーションによって選択的に除去される。同様に、ダイ接続パッド付近の誘電体層の一部分が、接地接続を可能にするために除去される。誘電体層の上からの金属被覆の施用に続いて、構造的な接地接続が施され、接地シールドを形成する。好ましい金属層の厚さは、ＤＣ耐性の点と皮層深さを考慮して選択されるべきであり、銀、銅または金等の優れた導電体から主に構成されるべきである。殆どの用途において、機能性の点では１ミクロンの被覆厚さが適切であるが、より厚い被覆は、リード線間のクロストークを低減するのに役立つ。これらの被覆は、リソグラフィーまたはその他のマスキング法と、めっきまたは他の選択可能な被覆法の組み合わせで、規定領域に加えることができる。パッケージは、ダイ上にオーバーモールドまたは蓋を配置し、続いてダイシング（シンギュレーション）および検査を経て完成することができる。
【００２９】
特に、本発明は、金属コアを有するリード線と、誘電体層と、接地接続可能な金属被覆と、１以上の蒸気バリア被覆（またはモールド接着コンパウンド）とを有するリード線を対象とする。
【００３０】
さらに、本発明は、複数の接続パッドを有するダイと、複数の接続素子を支持するダイ基板と、ダイとダイ基板との間に接続された規定のコア径を有する第１の金属コアを有するリード線と、第１の金属コアを被覆する第１の誘電体厚を有する誘電体層と、誘電体層を少なくとも部分的に被覆する外側の金属層と、蒸気バリアオーバーコートとを備えたダイパッケージを対象とする。
【００３１】
さらに、本発明は、図１に関連して説明された製造方法を対象とする。
【図１】
0006730182.tif 000003
【図２】
0006730182.tif 000004
【図３】
0006730182.tif 000005
【図４】
0006730182.tif 000006
【図５】
0006730182.tif 000007